(57)【要約】本発明は、尿のような体液を収集するためのバッグに関する。バッグは、例えばカテーテルと接続して使用するようになっていて、バッグを押しつぶすことなく、従って周囲へを汚染することなく液体の入ったバッグを処理することができるサポート手段を備えている。バッグは、液体の入ったバッグを飛散することなく空にすることを可能にしている排出口を備えている。
2004530511.tif 000002
【特許請求の範囲】
【請求項１】
少なくとも一枚のシート材料で作られている体液収集用の収集バッグにおいて、収集バッグが：
底部、及び該底部から上向きに延伸している側壁面と；
排出口と；
該排出口とほぼ同じ高さあるいは上方に配置されたサポート手段と；
を具備する収集バッグ。
【請求項２】
該サポート手段が、エッジジョイントを越えて延伸しているシート材の少なくとも一方の端部区域により、形成されている、請求項１に記載の収集バッグ。
【請求項３】
該サポート手段が、該シート材料に貫通サポート穴として形成されたハンドグリップを備えている、請求項１又は２に記載の収集バッグ。
【請求項４】
該排出口がシールされている、請求項１〜３のいずれか一項に記載の収集バッグ。
【請求項５】
閉止部分が該収集バッグに接続していて、該閉止部分ははぎ取るようになっている、請求項４に記載の収集バッグ。
【請求項６】
はぎ取る該閉止部分がはぎ取り式ストリップを備えている、請求項５に記載の収集バッグ。
【請求項７】
弱め区域が、該サポート手段の近傍における点から、該サポート手段を離れる方向へ延伸している、請求項５又は６に記載の収集バッグ。
【請求項８】
該排出口が、該貫通サポート穴の中心軸にほぼ直交的に上向きかつ外向き方向に延伸している、排出用導管を形成している、請求項３〜７のいずれか一項に記載の収集バッグ。
【請求項９】
該サポート手段の高さにあるいは下方に配置されたハンドル手段をさらに具備している、請求項１〜８のいずれか一項に記載の収集バッグ。
【請求項１０】
該ハンドル手段が、エッジジョイントを越えて延伸している二層のシート材料の少なくとも一方の端部区域に形成されている、請求項９に記載の収集バッグ。
【請求項１１】
該ハンドル手段が、該シート材料に貫通穴として形成されたハンドグリップを備えている、請求項９又は１０に記載の収集バッグ。
【請求項１２】
入口をさらに具備している、請求項１〜１１のいずれか一項に記載の収集バッグ。
【請求項１３】
ドレン管と、請求項１〜１２のいずれか一項に記載の収集バッグとを具備するドレンアセンブリ。
【発明の詳細な説明】
【技術分野】
【０００１】
本発明は例えば血液あるいは尿を収集用の体液収集用バッグに関する。より詳しくは、本発明は、流体をドレン管からバッグへ衛生的かつ汚染することなく排出し、従ってバッグを汚染なく空にすることを可能にしている。
【背景技術】
【０００２】
本発明の背景
一般に血液や尿のような体液を収集するための非排出型バッグがある。感染のリスクのために、バッグは、感染にいたる相互汚染のリスクの高い、病院あるいはナーシングホームにおいて、少なからず、細心の注意を払って取扱わなければならない。抗生物質がほとんどの感染を処理することができる一方で、感染は患者にとって苦痛なものであり、治療の期間を長くし、初期の病気に対し不要なリスクをもたらす。
【０００３】
従来の体液収集用バッグは、バッグの非汚染式開口部のための、又は流体の排出のための適切な手段を提供していないので、尿あるいは血液のような流体の飛散が容易に発生し、従って汚染及び感染を招く。
【０００４】
特許文献１が、尿収集バッグとカテーテルとを具備するカテーテルアセンブリを開示している。バッグは、カテーテルを、尿道へ挿入するのに先立って、摩擦低減物質で処理するための細長いポケットを備えている。処理後、カテーテルは細長いポケットの先端から引きぬかれ、尿がバッグに排出される。カテーテル処理後、バッグは、尿バッグの開口部をはぎ取ることにより、空にすることができる。しかしながら、飛散と汚染とが容易に発生するかも知れない。
【０００５】
特許文献２が、尿収集バッグを具備したカテーテル湿潤装置を開示している。開示されたバッグは頂部に一つの開口部を備えている。開口部はユーザが、排出バッグに入った親水性カテーテルを処理するための膨潤媒体を加えることを可能にしている。反対側の端部でバッグがカテーテル用に細長いポケットを提供していて、そのポケットは収集バッグに流体連通している。使用時に、膨潤液体例えば水がバッグに充填される。カテーテルの親水性低摩擦表面処理後、細長いポケットの最先端部分がはぎ取られ、カテーテルが開口部を貫通し、カテーテル処理が行なわれる。この操作に付随して膨潤液体の飛散が衣服や周囲への汚染のリスクをもたらす。さらに、バッグに排出された尿が、バッグにおける頂部開口部を介して漏洩する重大なリスクがある。
【特許文献１】
欧州特許第０９２３３９８号明細書
【特許文献２】
欧州特許出願公開第９７９０１８７９号明細書
【発明の開示】
【発明が解決しようとする課題】
【０００６】
本発明の説明
本発明の目的は、体液収集用の収集バッグを提供することにより、従来のバッグの前述の欠点を克服するためのものであって、収集バッグが；
底部、及び該底部から上向きに延伸している側壁面と；
排出口と；
該排出口とほぼ同じ高さあるいは上方に配置されたサポート手段とを具備している。
【課題を解決するための手段】
【０００７】
バッグは、シリコンのシートで、又は、熱可塑性エラストマ材料、他の熱可塑性材料、硬化性エラストマ材料、ポリアミド樹脂若しくはそれらの混合体のいずれかで、すなわちＰＡ，ＰＰ，ＰＶＣ，ＰＵ，ＰＥ、ラテックス（latex）及びKraton（商標名）のような材料からなる一群で作られていてもよい。好ましくはバッグが二枚のシートで作られていて、各々のシートの厚さは、好ましくは１５〜３００μｍの範囲、より好ましくは５０〜２００μｍの範囲、最も好ましくは１００μｍである。好適な実施態様において、バッグは７５μｍのＰＥ例えばSaranex（商標名）６５０smoothで作られている。バッグは延伸性フォイル（orientated foi1）で作られていてもよい。
【０００８】
ユーザが周囲を汚染することなく流体をバッグから排出することを可能にするために、本発明におけるバッグは排出口を備えている。排出口は、１０〜１００mmの範囲、好ましくは２０〜８０mm、より好ましくは３０〜７０mm、最も好ましくは４０mmの長さで、少なくとも６mmの水力半径の導管として形成されている。反対側の壁面間のチャンネルが、例えば部分的に湾曲あるいは部分的に直線の輪郭により形成されていてもよい。好ましくは壁面間の角度は１５°〜９０°の間である。チャンネルは、前記反対側の壁面間の材料により形成された排出口の半径、すなわち円の半径、又は、排出口の断面が円形からずれている場合、水力半径で形成されていてもよい。好ましくは、チャンネルの半径は、バッグの内部キャビテー（ｒ1）から排出口の開口部（ｒ2）へ向かって減少していて、排出口のねじれやもつれを回避するようになっている。半径を減少させることにより、排出口は排出時常に初期に意図した方向に向いている。排出口の長さはｒ1とｒ2との間の距離として規定され、チャンネルは排出口の開口部に向けて狭くなってゆく。排出口の幾何学的形状は、排出操作を最適化するようになっている。典型的なｒ1のサイズは９〜３０mm、好ましくは１０〜２５mm、より好ましくは１２〜１９mmである。典型的なｒ2のサイズは５〜１５mm、好ましくは６〜１２mm、より好ましくは７〜９mmである。二つのｒ1とｒ2の間で規定される排出口の長さｌは、通常１５〜９０mm、好ましくは３０〜７０mm、より好ましくは４０〜６０mmの間で変化している。一つの好適な実施態様において、ｒ1は１２mm、ｒ2は６mm、そしてｌは３３mmである。他の好適な実施態様において、ｒ1は１９mm、ｒ2は６mmそしてｌは５２mmである。
【０００９】
流体をバッグから排出する場合、流体が排出口の開口部から無制御に排出、例えばバッグの外面を落下することを回避するために、前述のように形成された導管が、うまく配向された流れ方向と流速とを提供する。
【００１０】
しかしながら、バッグにおいて排出口は、うまく作られ整列した開口部により単純に形成されてもよい。さらに排出口に、いずれのノッチあるいは切れ目のない、輪郭の整った排出口エッジを備えることにより無滴式エッジを提供することは利点のあることである。ユーザが排出時、とくに排出口の開口時にバッグを支持することを可能にするために、排出口とサポート手段とは、好ましくはほぼ同一高さに、少なくとも好ましくは垂直距離で５０mm以内に配置されるべきである。
【００１１】
流体の入ったバッグは、とくに比較的柔軟なシート材料で作られている場合、例えば排出するために持上げられると、簡単に押しつぶされてしまう。発生された圧力が、バッグ開口時に流体を開口部から噴出させてしまう。偶然にもバッグを著しく押しつぶすことなくバッグの開口を可能にするために、バッグはサポート手段を備えている。サポート手段は、ユーザが手でバッグを押しつぶすことなくバッグを支持あるいは運ぶことを可能にすべきである。
【００１２】
流体に作用する重力のために、サポート手段は、好ましくは排出口とほぼ同じ高さが上方に配置されてもよい。従って、バッグが持上げられ、従って排出口を容易に開口できる場合、流体は飛散するリスクなしに排出口から排出される。
【００１３】
生産するのに安いばかりでなく、使用時までは、保管スペースが非常に小さくてすむバッグを提供するために、バッグは二層のシート材料例えば一枚のブランクシートを折り曲げ、エッジジョイントで接続し、流体保管用の保管内部区画を内部に形成している。シートは接合、融着、接着されるか、又は他の方法で流体的液体的にシール接合されてもよい。
【００１４】
サポート手段は、好ましくは、エッジジョイントを越えて延伸している二層のシート材料の少なくとも一方の端部区域、すなわちバッグの保管内部区画外面により形成されていてもよくて、従ってサポート手段は、バッグの液体が入っていない部分、すなわち保管内部区画から隔離されたバッグの部分により構成されている。サポート手段に液体が入っていないので、ユーザは十分安全に把持することができ、流体をバッグから押し出すことなくサポート手段を押さえることができる。サポート手段は、バッグ頂部に取りつけたハンドルとしてのストラップ形状であってもよい。代りにハンドルが、バッグの内部区画の頂部に切り目を切込むことにより形成されてもよくて、そのバッグの内部区画は流体の入っているバッグの内部区画から隔離されている。
【００１５】
ユーザが端部区域においてうまく把持することを可能にするために、サポート手段は、好ましくはグリップエリアとして形成されたハンドグリップを備えていてもよくて、そのグリップエリアは、シート材料における貫通穴又は少なくともユーザがサポート用穴を作るための打ち抜きエリアを形成する弱めの線を備えている。貫通穴は、好ましくはユーザが、保護手袋を着用している場合でさえも指を用いて貫通穴を把持することにより、バッグを安全に把持することを可能にするサイズでなければならない。従って貫通穴は、好ましくは、少なくとも１０mmの直径のほぼ円形の穴であってもよくて、又は穴が少なくとも７５mm2の開口面積であるいずれの形状であってもよくて、又は穴が例えば２〜４cmの範囲の長さのスリットであってもよい。
【００１６】
バッグの無菌状態を保証するために、排出口は、好ましくはシールされている。液体が入っているバッグを排出する場合、排出口は一対のハサミで開口されるかも知れない。とくに病院あるいはナーシングホームにおいて、そのようなハサミがバンドエードあるいは包帯を切るために使用され、従って汚染が突発的に拡大する。本発明における収集バッグは、シールされた排出口を備えたバッグを提供している。排出口はいずれの道具を使用することなく、例えば排出口の頂部をはぎ取ることにより開口することができる。排出口の頂部は、端部を正しく整列した状態にするべくはぎ取ることができて、従ってバッグ用の適切な材料とシート厚さ、例えば１００mm厚さのＰＶＣシートを選択することにより、バッグからの流体の乱れのない制御可能な排出流が可能となっている。
【００１７】
排出口は着脱式閉止部分により閉止される。簡単な実施態様において、排出口の頂部は適切な弱め線を介してはぎ取ることができる。好ましくは、弱め線は、二枚のシートのエッジジョイントに備えられている。ユーザがより簡単にバッグの閉止部分をつかみ、その部分をはぎ取ることを可能にするために、はぎ取る部分がはぎ取り式ストリップを備えていてもよい。はぎ取る部分が、バッグの内部区画と流体連通している内部区画を有していてもよい。代りに、バッグからの液体が、閉止部分の内部を、従って閉止部分をはぎ取る操作者の手さえも汚染しないかぎり、はぎ取る部分はバッグの内部区画のエッジに位置していてもよい。
【００１８】
ユーザが、サポート手段を介してバッグを支持するときバッグをはぎ取って開口できるように、エッジジョイントの弱め区域は、好ましくはサポート手段近傍の位置から、サポート手段から離れる方向に延伸していてもよい。閉止部分をはぎ取る場合、サポート穴から水平方向にはぎ取ることは、サポート手段あるいは貫通穴にわずかに影響し作用する。従って、意図する弱め線は、例えばエッジジョイントの弱め区域は、好ましくはサポート手段からほぼ水平に、最も好ましくは、サポート手段近傍における位置から下向きに、水平と垂直との間の角度で延伸している。
【００１９】
排出口が、バッグに対していずれの方向に延伸していてもよい。しかしながら、排出口の導管に対する最適な方向は、サポート手段から上向きかつ外向き方向を指す方向である。好ましくは、排出口が中心軸を備えた開口部を形成していて、その中心軸は、サポート穴の中心軸にほぼ直交している。例として、バッグを構成する二枚のシートは、プラスチックの管状ピース、あるいは固体材料の細いワイヤにより開かれていてもよくて、又は二枚のシートを離間しておく同様の手段により開かれていてもよい。実施態様において、シートは開口部において、バッグの閉止部分をはぎ取る際に非直線形状にもどるシートの使用により離間されていてもよい。そのようなシートは応力を作用することにより作ることができて、その応力は、閉止部分の除却時に開放される。
【００２０】
時には、バッグを空にした後で、バッグを廃棄する場所にアクセスできないことがあるので、閉止部分は、ほぼ空になったバッグからしたたり落ちる液体により周囲を汚染しないために、好ましくは再取りつけ可能であってもよい。
【００２１】
排出操作時、バッグはサポート手段に保持される。バッグの閉止部分をはぎ取ることにより排出口が開口される。次にバッグは流体が排出口から排出し始める位置へ達するまで回転される。バッグの回転を容易にするためにハンドル手段が、サポート手段の高さあるいは下方に配置されてもよい。ハンドル手段は、エッジジョイントを越えて延伸している二層のシート材料の少なくとも一方の端部区域、すなわちバッグの保管内部区画外面により形成されていてもよくて、従ってハンドル手段は、バッグの液体が入っていない部分、すなわち保管内部区画から隔離されたバッグの部分により構成されている。ハンドル手段に液体が入っていないので、ユーザは十分安全に把持することができ、流体をバッグから押し出すことなくハンドル手段を押さえることができる。ハンドル手段はサポート手段の下方に配置された、バッグの部分に取りつけたストラップの形状で備えられていてもよい。ハンドル手段は、例えば液体が入っていないバッグの部分の形状における剛体グリップが、保管内部区画から隔離されかつ例えばエッジジョイントから２〜１０cm、従って保管内部区画から２〜１０cmオーダーで離れて延在することを可能にするサイズである。ハンドル手段は、好ましくは、排出口の導管の方向に対向する方向に延伸している。ハンドル手段における貫通穴、例えばシート材料におけるスリットあるいは穴、又はユーザがハンドル手段における穴を押すことを可能にしている弱め線がハンドル手段のグリップを一段と改善し、従って排出操作時におけるバッグの回転をするようになっている。貫通穴は、好ましくはユーザが、保護手袋を着用している場合でさえも指を用いて貫通穴を把持することにより、バッグを安全に把持することを可能にするサイズでなければならない。従って貫通穴は、好ましくは、少なくとも１０mmの直径のほぼ円形の穴であってもよくて、又は穴が少なくとも７５mm2の開口面積であるいずれの形状であってもよくて、又は穴が例えば２〜４cmの範囲の長さのスリットであってもよい。
【００２２】
ドレン管例えばカテーテルあるいは導管（uresheath）各々からバッグに流体を排出するために、各々をバッグへ接続することを可能にするために、バッグがさらに入口を備えていてもよい。入口は、医療用ホースの短かい管状ピースであってもよくて、又は弾力性あるいは柔軟な弾力のある好ましくはポリマから作られているバッグの部分の形状の穴であってもよい。穴が針又はカテーテルを用いて開けられる場合、材料の弾性が針又はカテーテルの外表面とバッグとの間タイトなシールを保証している。
【００２３】
入口は、排出口の導管へ延伸配置されている。流体が入口介してバッグの中へ排出されたとき、入口ははずされ、例えば排出口から引きはがされるかはぎ取られ、排出口がバッグを空にするのに使用することができる。入口は、独立的に組立てられた入口、例えばバッグを構成しているフォイルのシート間にシールされた管状チューブであってもよい。本発明の好適な実施態様において、入口又はバッグは、バッグの中へ排出された流体が入口を介してバッグから漏洩することを防止する、逆流バルブ（back-flow valve）又は逆流防止バルブ（ant-reflux valve）を備えている。
【００２４】
本発明における好適な実施態様において、入口はバッグから体内へ挿入されるドレン管の汚染なし吸引に適したコネクタホースである。例えば、カテーテルがドレン管として使用されてもよい。ホース部材は、一方の端部において開位置と閉位置とを有するバルブを備えていてもよくて、開位置において、ホースがバッグと流体連通しており、閉位置において、ホースがバッグから流体的にシールされている。ホース部材は、他方の端部において、コネクタホースからドレン管取りはずした出口を備えていてもよい。コネクタは、好ましくは着脱式閉止部分によりシールされていてもよい。閉止部分は、単純な取りはずし可能なフォイルであってもよいし、又は常設の閉止部分、例えば再接続可能な閉止部分であってもよい。
【００２５】
バッグの操作時、ユーザはバッグをわきに置くことを望むかも知れない。もしバッグが上下さかさまになると、たとえ入口又は排出口が閉止部分あるいはバッグの閉止部分によりシールされていても、入口又は排出口を介して漏洩する液体による汚染のリスクがある。従って、バッグは、液体が入った際に、液体の入ったバッグの重心が最下端位置となるような形状となっている。この形状が液体の入ったバッグの安定した直立方向を可能にしている。
【００２６】
他の実施態様において、本発明は、前述のカテーテル及び収集バッグのような、ドレン管を備えたドレンアセンブリに関する。パッケージから取りはずす場合に低摩擦表面を利用しているドレン管を提供するために、アセンブリはコネクタホースに入っている、水溶性塗膜ドレン管あるいは潤滑ゲル（lubricating gel）用の摩擦低減物質、例えば水あるいは同様の液体膨潤媒体を備えていてもよい。ドレン管を体内、例えば血管あるいは尿道へ汚染なく挿入するために、コネクタホースはカテーテルに押し込まれ曲げられて係合するアプリケータを備えている。アプリケータはユーザが手でドレン管に直接触れることなく操作できるようになっている。コネクタホースのアプリケータ部分はコネクタホースの他の部分又はバッグへ着脱可能に接続されてもよい。挿入に先立って、ユーザはアプリケータ部分を引きちぎり、排出するためにドレン管を体内に挿入するべくその部分を使用する。
【００２７】
本発明における好適な実施態様を添付図を参照して以下に説明する。
【発明を実施するための最良の形態】
【００２８】
図１は、アセンブリライン３に沿ってシールされた二枚のプラスチックフォイルシート２で作られたバッグ１を示している。バッグは、バッグの頂部に配置された入口４と、上向き方向及び外向き方向に延伸している排出口５を備えている。排出口は、バッグの着脱式閉止部分６によりシールされる。閉止部分は再接続可能であってもよいけれど、本発明の簡単な実施態様において、閉止部分６ははぎ取り式継手により、点線７に沿ってシールされている。図１に示すように、はぎ取り部分６は好ましくはバッグの内部区画（lumen）に向けて閉じられてもよくて、従って流体がバッグからはぎ取り部分へ流入することを防止している。
【００２９】
バッグが、アセンブリライン９に沿って補強された貫通穴８を備えている。貫通穴は、バッグの内部区画１１から隔離されたサポートフランジ１０に備えられているので、バッグの内部区画に入った流体がサポートフランジに流入することを防止している。従ってフランジは液体の入ったバッグを持ち上げあるいは保持するためのすぐれたサポートを提供している。
【００３０】
ハンドルフランジに形状のハンドル手段は同じく貫通穴１３を備えていて、ユーザが、（一つ以上の）サポート用穴８の一方あるいは両方でバッグをささえることとにより、及びハンドルの貫通穴１３でグリップを用いてバッグを回転させることにより、バッグを空にすることができる。ハンドルフランジは、５〜１０cm2以上の範囲の表面積であり、エッジ端から、従ってバッグの保管内部区画から２〜１０cm以上離間している。従って、ユーザは、偶然バッグを押しつぶすことなく、従って流体をバッグからこぼすことなく、ハンドル手段をしっかりとつかむことができる。
【００３１】
バッグは、排出口をはぎ取り開けるためのはぎ取り式フラップ１４を備えている。はぎ取り式フラップは、はぎ取りライン１５を介してサポートフランジへルーズに接続されていてもよい。しかしながら、はぎ取りラインは、好ましくは生産プロセス中にサポート手段から完全にあるいは部分的にはずされているので、フラップは、アセンブリライン１６を介してバッグの閉止部分６へ接続されているだけである。
【００３２】
バッグは、例えばＰＶＣの二枚のシートをアセンブリライン３，９及び１６によって一体に接合あるいは接着して作られてもよい。前述したように、バッグの閉止部分６が、好ましくはバッグの内部区画から隔離されているので、バッグに入っている液体は閉止部分に流入することを阻止されている。代りに、閉止部分の内部区画がバッグの内部区画と流体連通していてもよい。
【００３３】
図２は図１におけるバッグと同様のバッグを示していて、排出口が入口に対して反対側に配置されている。この配置において、バッグは空にする前に回転されねばならない。空にする手順は以下のとうりである：ユーザは入口４をシールし、排出口が上方向になるように即ち底部が上方になるように回転させる。なお、底部は入口が延伸しているエッジにより形成されている。排出口５が、弱め線７を介して着脱式閉止部分６をはぎ取ることにより開かれる場合、バッグはサポート手段１０、例えば貫通穴８を介して保持される。バッグがハンドル手段１２、例えば貫通穴１３を介して把持することにより傾けられ、バッグのこの方向において、ハンドル手段は、サポート手段の下方に位置していて、液体が排出口５を介して排出される。
【００３４】
図３は図１におけるバッグと同様のものを示していて、さらに入口チューブ３１を備えている。チューブは入口にシールされている。好ましくは、チューブはドレン管あるいはカテーテル等の接続用継手手段（図示されていない）を備えている。バッグはさらにバッグに入れることのできる流体体積を表示している表示マーク３２と、ユーザが通常のペンでバッグに記入できる記入部分３３とを備えている。もしバッグがカテーテルのアセンブリを構成する場合、カテーテル用の摩擦低減物質がバッグに入れられ、その場合、表示マーク３２が、バッグに排出される液体例えば尿の正確な体積を表示するように調整されねばならないかも知れない。バッグのはぎ取り部分は弱め線３４を介してはぎ取られる。
【００３５】
図３における実施態様において、バッグのはぎ取り部分はバッグの内部区画に向けてシールされていなくて、従って流体がバッグからはぎ取り部分へ流入し、時に汚染のリスクを増大させる。しかしながらこの実施態様は、バッグの製造を簡単にするために所望されるかも知れない。
【００３６】
図４は図３におけるバッグと同様のものを示しているが、排出口が入口の反対側に配置されている。
【００３７】
図５は、図３におけるバッグを示していてさらに液体がバッグの内部区画から入口に逆流することを防止する逆流バルブ５１を備えている。バッグのはぎ取り部分５２ははぎ取り式ストリップ５３によりはぎ取られてもよい。図５における実施態様において、弱め線は備えられていない。排出口の頂部は、端部を完全に整列しないままではぎ取られてもよくて、従って、１００mm厚さのＰＶＣシートのような、バッグに適切な材料及びシート厚さを選択することにより、バッグからの流体の流出流れを妨げることなく調節可能としている。
【００３８】
図６は図４におけるバッグを示していて、排出口は入口に対して反対側に配置されている。
【００３９】
図７は好適な実施態様を示している。バッグの特徴ある形状は、頂部７２より幅の広い底部７１にあって、バッグがサポート手段７３に持ち上げられる場合、さらにほぼ水平な面７４に置かれる場合、バッグは改善されたバランスを提供するようになっている。液体の入ったバッグ形状により重心が比較的低い位置となるので、ほぼ水平な面に置かれた場合でも、バッグが直立方向にバランスするように改善されている。バッグは、入口の上部７６においてバッグを構成している二枚のシートの間にシールされたホース部材７５を備えている。ホース部材は、その最上部７７において閉止部分７８を備えている。入口の上部と閉止部分との間に、ホース部材は、ドレン管例えばカテーテルを、体内例えば尿道に汚染なく挿入するための、アプリケータを備えていてもよい。
【００４０】
ホース部材のベロー状部分７９は、ユーザがホース部材をその長手方向に圧縮することを可能にしていて、従ってドレンはホース部材から押し出される。ユーザは、ホース部材のアプリケータ部分を押しつぶすか曲げることにより、ホース部材のアプリケータの内側へドレン管あるいはカテーテルを固定することができて、従ってドレン管あるいはカテーテルを手で触れることなくホース部材から直接挿入することができる。ホース部材のアプリケータ部分はホース部材から取りはずし可能になっているので、ドレン管あるいはカテーテルの取扱いが容易なものとなっている。図７に示すホース部材がはぎ取る弱め区域８０を備えていて、ホース部材のアプリケータ部分をバッグから簡単に引きちぎることができる。ハンドル手段８１は排出口８２を介して液体の容易な排出を可能にしている。排出口は、バッグと排出口との間をつなぐ水力半径（ｒ1）と、バッグの出口における水力半径（ｒ2）とを備えた、チャンネルとして形成されている。排出口の長さは二つの水力半径の間の距離（ｌ）である。排出口は閉止部分８３で閉止される。閉止部分は、いずれの器具を使用することなく、はぎ取り式ストリップ８４を把持することにより、そしてサポート手段からほぼ水平方向に引き離し、あるいはサポート手段から下向き方向に引き離すことにより容易にはぎ取ることができる。はぎ取り式ストリップは、はぎ取り線８５を介して、バッグの頂部−サポート部分−に取りつけられてもよい。しかしながら、はぎ取り式ストリップも含めてバッグの全体の閉止部分は、はぎ取り線８６だけを介してバッグへ接続されてもよい。
【００４１】
図８に示すように、閉止部分８３は、バッグのエッジ８７のわずか前方（しかしながらエッジの近傍）ではぎ取り線８５を終点とすることにより、バッグを開口部のうしろで、バッグへ保持接続されていてもよい。好ましくは、はぎ取り線は、エッジに平行にエッジの近傍において、下向きに延伸している。従って、ユーザは、閉止部分を、下向き方向にはぎ取ることができて、かつ排出口から引き離すことができ、従って閉止部分は、バッグから液体物質の排出をさまたげることなくバッグに接続されたままである。
【図面の簡単な説明】
【００４２】
【図１】図１は、本発明における収集バッグの実施態様一つである。
【図２】図２は、本発明における収集バッグの実施態様一つである。
【図３】図３は、本発明における収集バッグの実施態様一つである。
【図４】図４は、本発明における収集バッグの実施態様一つである。
【図５】図５は、本発明における収集バッグの実施態様一つである。
【図６】図６は、本発明における収集バッグの実施態様一つである。
【図７】図７は、好適な実施態様におけるバッグを示していて、液体の入ったバッグの形状は、バックの直立方向のバランスを可能にしている。
【図８】図８は、図７におけるバッグを示していて、開状態のものである。
【国際公開パンフレット】
2004530511.tif 000003
2004530511.tif 000004
2004530511.tif 000005
2004530511.tif 000006
2004530511.tif 000007
2004530511.tif 000008
2004530511.tif 000009
2004530511.tif 000010
2004530511.tif 000011
2004530511.tif 000012
2004530511.tif 000013
2004530511.tif 000014
2004530511.tif 000015
2004530511.tif 000016
2004530511.tif 000017
2004530511.tif 000018
2004530511.tif 000019
2004530511.tif 000020
2004530511.tif 000021
2004530511.tif 000022
2004530511.tif 000023
【国際公開パンフレット（コレクトバージョン）】
2004530511.tif 000024
2004530511.tif 000025
【国際調査報告】
2004530511.tif 000026
2004530511.tif 000027
2004530511.tif 000028